(57)【要約】スプリンクラーヘッド付属品をスプリンクラーヘッドへ取付ける作業者がスプリンクラーヘッド付属品の形状やサイズ毎に取付工具を購入したり持ち運んだりする負担を軽減することができるスプリンクラーヘッド付属品取付工具を提供する。  天井８におけるスプリンクラーヘッド７の設置位置に設けた穴８Ａを塞ぐスプリンクラーヘッド付属品４をスプリンクラーヘッド７に対して取り付けるための取付工具であって、本体２にはスプリンクラーヘッド付属品４を載置可能な支持部が複数形成されており、支持部５、９の反対側には把持棒着脱部１１を設置した。または、スプリンクラーヘッド付属品４を載置可能な支持部保持体４３を把持棒着脱部保持体４２ａに対して着脱可能に構成した。【選択図】図１
2013125341.tif 000002
【特許請求の範囲】
【請求項１】
天井または壁面におけるスプリンクラーヘッドの設置位置に設けた穴を塞ぐスプリンクラーヘッド付属品をスプリンクラーヘッドに対して取り付けるための取付工具であって、本体と把持棒を有し、本体にはスプリンクラーヘッド付属品を載置可能な複数の支持部と、把持棒着脱部とが設置されていることを特徴としたスプリンクラーヘッド付属品取付工具。
【請求項２】
本体を、互いに分離可能な支持部保持体と把持棒着脱部保持体とから構成し、支持部保持体に支持部を形成し、把持棒着脱部保持体に把持棒着脱部を形成した請求項１記載のスプリンクラーヘッド付属品取付工具。
【請求項３】
第一の支持部が設置された面と反対側の面に、第一の支持部とは異なる形状またはサイズのスプリンクラーヘッド付属品を支持可能な第二の支持部を設置した請求項１または請求項２記載のスプリンクラーヘッド付属品取付工具。
【請求項４】
支持部には輪郭形状が異なる複数種類のスプリンクラーヘッド付属品を支持可能な凹みが形成されている請求項１〜請求項３の何れか１項記載のスプリンクラーヘッド付属品取付工具。
【請求項５】
把持棒の中心軸と支持部の中心位置を同一軸上に配置した請求項１〜請求項４の何れか１項記載のスプリンクラーヘッド付属品取付工具。
【請求項６】
把持棒着脱部に把持棒を係留可能なストッパーを設置した請求項１〜請求項５の何れか１項記載のスプリンクラーヘッド付属品取付工具。
【請求項７】
筒状をしており把持棒着脱部に挿通されるパイプキャップは、内部に把持棒を挿通可能であり、一端側の外周部には把持棒着脱部の端面と係合可能な鍔部が設置され、他端側の内周部には把持棒の端面が当接するストッパーを設置した請求項１〜請求項６の何れか１項記載のスプリンクラーヘッド付属品取付工具。
【請求項８】
支持部の周縁部にバネ部を設置して、バネ部によりスプリンクラーヘッド付属品の側面を支持部の内側へ向かって付勢する請求項１〜請求項７の何れか１項記載のスプリンクラーヘッド付属品取付工具。
【請求項９】
バネ部を支持部に載置されるスプリンクラーヘッド付属品の外縁よりも内側に形成した請求項８記載のスプリンクラーヘッド付属品取付工具。
【請求項１０】
バネ部は支持部に対して垂直に設置されており、支持部の外方に向かって弾性変形可能である請求項８または請求項９記載のスプリンクラーヘッド付属品取付工具。
【請求項１１】
支持部にスプリンクラーヘッド付属品の形状またはサイズまたは輪郭を示す表示を設けた請求項１〜請求項１０の何れか１項記載のスプリンクラーヘッド付属品取付工具。
【請求項１２】
スプリンクラーヘッド付属品に設けた低融点合金に対応する支持部の部分に磁石を有する請求項１〜請求項１１の何れか１項記載のスプリンクラーヘッド付属品取付工具。
【発明の詳細な説明】
【技術分野】
【０００１】
本発明は、スプリンクラーヘッドの付属品であるスプリンクラーヘッドカバーやシーリングプレートをスプリンクラーヘッドに取付けるための取付工具に関するものである。
【背景技術】
【０００２】
スプリンクラーヘッドは、建物内の天井面や壁面に設置され、一端には給水源に続いた配管と接続可能なノズルを有し、他端には感熱作動部が設けられている。平時において感熱作動部はノズルを閉止する弁体を支持している。【０００３】
上記スプリンクラーヘッドの一例として、天井面や壁面に埋め込まれた状態で設置され、スプリンクラーヘッドをスプリンクラーヘッドカバーで覆い隠したコンシールド型スプリンクラーヘッドがある。【０００４】
図８に示すコンシールド型スプリンクラーヘッドは、スプリンクラーヘッド５０と、該スプリンクラーヘッドに装着するスプリンクラーヘッドカバー（スプリンクラーヘッド付属品）５１とを備える。そのスプリンクラーヘッド５０は天井裏に設置されており、平時においてスプリンクラーヘッド５０はスプリンクラーヘッドカバー５１によって覆い隠され、室内からはカバープレート５２しか見えない構造になっている。【０００５】
上記のスプリンクラーヘッドカバー５1は次のような手順でスプリンクラーヘッド５０に取付けられる。【０００６】
天井裏の配管Ａにはスプリンクラーヘッド５０が接続されており、スプリンクラーヘッド５０は天井ボード５３に穿設された穴５４から先端部分のみが露出している。該スプリンクラーヘッド５０にスプリンクラーヘッドカバー５１を取付ける。スプリンクラーヘッドカバー５１の筒部５５をスプリンクラーヘッド５０の外部に設置された筒状のサポートカップ５６内に挿通させる。サポートカップ５６の側面には螺旋溝５７が刻設されており、スプリンクラーヘッドカバー５１の筒部５５には螺旋溝５７に係合可能な爪５８が形成されている。爪５８は弾性変形が可能であり、筒部５５を配管Ａ側に移動させると爪５８が弾性変形して螺旋溝５７を乗り越えて筒部５５が配管Ａ側に移動可能である。【０００７】
筒部５５の下端に形成されたフランジ部５９が天井ボード５３の下面に接触するまでスプリンクラーヘッドカバー５１を上方に押し上げて移動させると爪５８が螺旋溝５７に係合され取付けが完了する。【０００８】
以上のスプリンクラーヘッドカバーの取り付け作業を行う際に、スプリンクラーヘッドカバーの取付工具が用いられる（例えば、特許文献１参照。）。スプリンクラーヘッドカバーを使用することで、スプリンクラーヘッドカバーの表面に軍手の汚れが付着することを防止するとともに、スプリンクラーヘッドカバーを直接作業者が持たずに取付工具を使用することでカバープレートの変形を防止することができる。
【先行技術文献】
【特許文献】
【０００９】
【特許文献１】特開２０１１−１２０６９９号公報
【発明の概要】
【発明が解決しようとする課題】
【００１０】
近年において、スプリンクラーヘッドカバーの形状は多様化しており、今までは外形が円形のスプリンクラーヘッドカバーが主流であったが、外形が四角形をしたスプリンクラーヘッドカバーの要望がある。また外形が円形の場合においてもスプリンクラーヘッドカバーの外径寸法が大きいものから小さいものまで各種サイズの要望が発生している。【００１１】
しかしながら、スプリンクラーヘッドカバーの形状やサイズ毎に取付工具を購入したり持ち運んだりするのは作業者の負担となり、結果として取付工具を使用せずにスプリンクラーヘッドカバーの取り付け作業を行うことでカバープレート部に汚れが付着したり或いは変形したりする等、天井面の美観を損ねてしまう懸念がある。【００１２】
そこで本発明では、上記問題に鑑み、スプリンクラーヘッド付属品をスプリンクラーヘッドへ取付ける作業者がスプリンクラーヘッド付属品の形状やサイズ毎に取付工具を購入したり持ち運んだりする負担を軽減することができるスプリンクラーヘッド付属品取付工具を提供することを目的としている。
【課題を解決するための手段】
【００１３】
上記の目的を達成するために、本発明は以下のスプリンクラーヘッド付属品取付工具を提供する。
すなわち、天井または壁面におけるスプリンクラーヘッドの設置位置に設けた穴を塞ぐスプリンクラーヘッド付属品をスプリンクラーヘッドに対して取り付けるための取付工具であって、本体と把持棒を有し、本体にはスプリンクラーヘッド付属品を載置可能な複数の支持部と、把持棒着脱部とが設置されているスプリンクラーヘッド付属品取付工具である。【００１４】
本発明によるスプリンクラーヘッド付属品用の取付工具（以下「取付工具」というときは特に断らない限り「スプリンクラーヘッド付属品用の取付工具」を意味する。）によれば、本体に支持部を複数形成したことにより、支持部毎に形状やサイズの異なるスプリンクラーヘッド付属品（以下「付属品」というときは特に断らない限り「スプリンクラーヘッド付属品」を意味する）を載置可能であることから、一つの取付工具によって複数種類の付属品に使用することができるので、作業者が付属品の形状やサイズ毎に取付工具を購入したり持ち運んだりする負担を軽減することができる。
【発明の効果】
【００１５】
本発明のスプリンクラーヘッド付属品取付工具によれば、一つの取付工具によって複数種類の付属品に使用することができるので、スプリンクラーヘッド付属品の形状やサイズ毎に取付工具を購入したり持ち運んだりするという作業者の負担を軽減することができる。さらに本発明のスプリンクラーヘッド付属品取付工具を使用することでカバープレート部に汚れが付着したり或いは変形したりすることを防止できる。
【図面の簡単な説明】
【００１６】
【図１】第１実施形態の取付工具およびスプリンクラーヘッドカバーの断面図
【図２】図１の取付工具の平面図
【図３】図１の取付工具によりスプリンクラーヘッドカバーをスプリンクラーヘッドに接続した後の断面図
【図４】第１実施形態の変形例１の３個の磁石を設けた取付工具の断面図
【図５】図４の取付工具の平面図
【図６】第１実施形態の変形例２の別の磁石を設けた取付工具の平面図
【図７】図６の取付工具の平面図
【図８】従来におけるスプリンクラーヘッドカバーとスプリンクラーヘッドの断面図
【図９】第１実施形態の変形例３の断面図
【図１０】第１実施形態の変形例４の断面図
【図１１】（ａ）：第１実施形態の変形例５の平面図、（ｂ）：（ａ）の支持部の断面図、（ｃ）：（ｂ）の点線で囲まれた箇所の拡大断面図
【図１２】（ａ）：第１実施形態の変形例６の平面図、（ｂ）：（ａ）に円形のカバープレートを装着した状態、（ｃ）：（ａ）に四角形のカバープレートを装着した状態
【図１３】第２実施形態の取付工具の断面図
【発明を実施するための形態】
【００１７】
第１実施形態（図１〜図３）
第１実施形態のスプリンクラーヘッド付属品取付工具（以下、「取付工具」という）１は、本体２と把持棒３から成り、これらは軽量な材質である樹脂やアルミニウム合金によって形成されている。本体２は円柱形状をしており、スプリンクラーヘッド付属品であるスプリンクラーヘッドカバー４を載置可能な支持部５が形成されている。
【００１８】
支持部５にはスプリンクラーヘッドカバー４の下端に設置されたカバープレート４Ａが載置され、カバープレート４Ａの外形に応じた凹み６が形成されている。凹み６の深さはスプリンクラーヘッドカバー４が凹み６に収容された状態で天井当接部４Ｂが凹み６の端面よりも上方に位置する程度の寸法であり、より好ましくはカバープレート４Ａの高さよりも浅くする。こうすることで凹み６にカバープレート４Ａを載置して天井裏に設置されたスプリンクラーヘッド７にスプリンクラーヘッドカバー４を接続する際に、支持部５の上面５Ａが天井ボード８の表面と干渉するより前にスプリンクラーヘッドカバー４の天井当接部４Ｂが天井ボード８の表面と接触可能となる。また、凹み６の内部にカバープレート４Ａを収容することで支持部５上でスプリンクラーヘッドカバー４が動いたり、がたついたりすることを防止できる。
【００１９】
凹み６の輪郭形状は図２に示すように円形と四角形を重ね合わせ、円の縁から四角形の四隅がはみ出した状態の輪郭形状である。これにより、カバープレート４Ａの外形が円形と四角形の２種類のスプリンクラーヘッドカバーに対応可能となる。
【００２０】
支持部５が設けられた側と反対側には、凹み６の形状とは異なる凹み形状を有する支持部９が設置されている。本実施形態では支持部９に形成された凹み１０の形状は円形であり、凹み６の円の直径寸法６Ａよりも小径な円形としている。
【００２１】
これにより、第一の支持部である支持部５の凹み６に対応するカバープレート４Ａの形状は円形と四角形の２種類のスプリンクラーヘッドカバーとし、第二の支持部である支持部９の凹み１０には凹み６の円形よりもさらに小径であるスプリンクラーヘッドカバーを使用することができ、合わせて３種類のスプリンクラーヘッドカバーに対応した取付工具１を実現することができる。換言すれば、取付工具１の一つの面に複数の付属品を載置することができる。従ってスプリンクラーヘッドカバー４をスプリンクラーヘッド７に取付ける作業者がカバープレートの種類毎に取付工具を購入したり、持ち運んだりするという負担の軽減が可能となる。
【００２２】
把持棒３は中空状であり本体２の支持部５が設けられた側と反対側に設置される。本体２の支持部５の反対側には把持棒着脱部１１が形成されており、把持棒３が挿通可能な穴が穿設されている。把持棒着脱部１１の穴径は把持棒の外周径よりも僅かに大径となっている。
【００２３】
把持棒着脱部１１の穴は本体２を貫通して穿設され支持部５、９にまで及んでいる。これにより支持部５にスプリンクラーヘッドカバー４を載置させて使用する場合には把持棒３を支持部９側から挿通させて本体２に固定接続させ、逆に支持部９を使用する場合には把持棒３を支持部５側から挿通させて本体２に固定接続することができる。従って、一つの本体２に設置された２つの支持部５、９を使用することができる。
【００２４】
把持棒３を本体２に固定接続する構造として、本体２の側面から把持棒着脱部１１へ貫通した穴が穿設されており穴内には牝ネジ１２が螺刻されている。この牝ネジ１２にボルト１３を螺入させてボルト１３の先端を把持棒３の側面に押し付けることで把持棒３を本体２に着脱可能に固定接続できる。また本体２の側面から把持棒着脱部１１へ貫通した穴内に牝ネジ１２が螺刻されていない場合は、ボルト１３としてタッピングネジを使用することも可能であり、タッピングネジの先端を把持棒３の側面に螺入させることで把持棒３を本体２に着脱可能に固定接続できる。
【００２５】
上記において、凹み６、１０の中心と把持棒３の中心軸３Ａは同一線上に配置されている。こうすることで把持棒３の中心軸上にスプリンクラーヘッドカバー４の中心軸が配置され、スプリンクラーヘッドカバー４をスプリンクラーヘッド７に取付ける際にスプリンクラーヘッドカバー４の中心位置をおおよそ認識して作業を行うことができる。また、図２にて示す中心軸３Ａ（「＋」形状の交差部）は円柱形状をした本体２の中心軸になっている。
【００２６】
続いて第１実施形態の取付工具を用いてスプリンクラーヘッドカバー４をスプリンクラーヘッド７に取付ける手順を説明する。
【００２７】
ここでは支持部５側にスプリンクラーヘッドカバー４を載置する場合について説明する。まず、本体２に把持棒３を固定接続させる。本体２の把持棒着脱部１１に支持部９側から把持棒３を挿通させてボルト１３を牝ネジ１２内に螺入させ、ボルト１３を締付けることで把持棒３を本体２に固定接続する。本体２および把持棒３は作業者が使用する際に負担とならないように軽量な材質から形成するのが望ましい。具体的には樹脂やアルミニウムにより構成され、把持棒３については市販の樹脂パイプを用いることも可能である。
【００２８】
把持棒３の長さは作業者が床面に立って取付作業を行う場合には１〜２ｍの物を使用するのが好ましい。これとは別に作業者が脚立等の足場の上で取付作業を行う場合には把持棒３の長さはさらに短いものでよく、０．３〜１ｍ程度のものを使用するか、場合によっては把持棒３を接続しない状態で本体２を直接手で持って取付工具１を使用することも可能である。
【００２９】
次に支持部５の凹み６内にスプリンクラーヘッドカバー４のカバープレート４Ａを収容させる。続いて把持棒３を持って取付工具１を天井裏に設置されたスプリンクラーヘッド７に向けて移動させる。スプリンクラーヘッドカバー４のカバープレート４Ａの反対側には、スプリンクラーヘッド７と接続可能な筒部４Ｃが形成されており、この筒部４Ｃを天井ボード８に穿設された穴８Ａに挿通させて、穴８Ａの奥に配置されているスプリンクラーヘッド７と接続させる。
【００３０】
この際、取付工具１は、把持棒３の中心軸と支持部５の中心位置を同一軸上に配置して構成しているため、ヘッドカバー４を取付工具１に載置した状態で把持棒３の中心軸上にヘッドカバー４の中心軸が配置されるのでヘッドカバー４をスプリンクラーヘッド７に取り付ける際に作業者がヘッドカバーの中心位置をおおよそ認識して取付作業をすることができる。
【００３１】
筒部４Ｃにはスプリンクラーヘッド７のサポートカップ７Ａと係合可能な爪４Ｄが形成されている。爪４Ｄは斜め下方に向かって突出しており、筒部４Ｃをサポートカップ７Ａの中に挿通する際には爪４Ｄの弾性によってサポートカップ７Ａ内に刻設された溝７Ｂによる凹凸を乗り越えて移動可能である。
【００３２】
筒部４Ｃとカバープレート４Ａの間に設置された鍔状の天井当接部４Ｂが天井ボード８の表面に接触する位置までスプリンクラーヘッドカバー４をスプリンクラーヘッド７側に移動させる。天井当接部４Ｂが天井ボード８の表面に達したら取付工具１を下方に移動させる。スプリンクラーヘッドカバー４は筒部４Ｃの爪４Ｄがサポートカップ７Ａの溝７Ｂと係合してスプリンクラーヘッド７に係止される。これでスプリンクラーヘッドカバー４をスプリンクラーヘッド７に取付ける手順が終了する（図３参照）。
【００３３】
第１実施形態の変形例１（図４、図５）
ヘッドカバー４には、天井当接部４Ｂから下方に伸びる脚４Ｅを有している。この脚４Ｅは、その下端が天井当接部と平行に曲げられ、低融点合金４Ｆを挟んでカバープレート４Ａに固着されている。脚４Ｅを鉄により形成することで脚４Ｅの低融点合金４Ｆとの接合面と磁石１４が磁力により引きつけられる。
図４、図５に示す変形例では、この脚４Ｅに対応する支持部５の部分に磁石１４を有するものである。磁石１４を取付工具１に埋め込んでいるため、ヘッドカバー４に備わる脚４Ｅと磁石１４が引き合い、ヘッドカバー４の装着作業中に取付工具１に載せたヘッドカバー４が磁力で取付工具１に引きつけられ、ヘッドカバー取付工具１からヘッドカバー４が簡単には外れないようにすることができる。本例では、脚４Ｅが存在する部分に対応した３カ所に個々の磁石１４ａが設けられ、凹み６の表面に磁石１４ａの表面が露出している。
【００３４】
第１実施形態の変形例２（図６、図７）
図６、図７で示す変形例もまた磁石１４を設けた例である。この例では、円環状の磁石（円環磁石）１４ｂを用い、脚４Ｅが存在する部分に対応した３カ所が円環上に乗るように磁石１４を配置している。そのため、凹み６の表面に磁石１４の表面が円環状に露出している。先の変形例では、脚４Ｅに対応する位置に磁石１４ａを当てる必要があるが、本例では磁石１４が円環状であり、円環状の何れかの位置に脚４Ｅが来れば良いため、取付工具１とヘッドカバー４とを磁着し易い点で便利である。
【００３５】
第１実施形態の変形例３（図９）
図９に示す第１実施形態の変形例は、把持棒着脱部１１の穴の内部に把持棒３の端面が当接するストッパーを設置したものであり、把持棒着脱部１１の内部に形成された隔壁１５がストッパーとして作用する。隔壁１５の代わりに、把持棒着脱部１１の内部に把持棒３が当接する段部を形成することや、把持棒着脱部１１の内部に突起を形成することも可能である。これにより、取付工具１を用いてスプリンクラーヘッドカバー４をスプリンクラーヘッド７に取付ける作業を行っている際に、把持棒３が支持部５側へ突き出ることを防止することができる。
【００３６】
こうした変形例のように、把持棒着脱部１１に把持棒３を係留可能なストッパー１５を設置して構成すれば、第一の支持部５に付属品４を載置させる際に、第二の支持部９側から把持棒着脱部１１へ把持棒３を挿通させたときに、把持棒３の先端が第一の支持部５から突き出ることを防止することができる。そのため、第一の支持部５に載置された付属品４に把持棒３が突き出して損傷を与えないようにすることができる。
【００３７】
第１実施形態の変形例４（図１０） 
また、図１０に示す変形例では、上記の隔壁１５の代わりにパイプキャップ１６を設置したものである。パイプキャップ１６は、筒状をしており下部は支持部９と係合可能な鍔部１６Ａが形成されており、上部は面１６Ｂによって塞がれている。パイプキャップ１６の内部に把持棒３を挿通させてパイプキャップ１６を把持棒着脱部１１に挿通する。その後、パイプキャップ１６の側面をボルト１３の先端にて押圧して固定する。
【００３８】
これにより、図９の変形例と比較して取付工具１を軽量・コンパクトに構成することができ、作業者の負担を軽減することができる。
【００３９】
また、前述の変形例とは異なり、把持棒着脱部１１の内部にストッパーを形成しなくてもパイプキャップによりストッパーを構成することができる。そのため、取付工具１の内部にストッパーを形成する困難性が無く、把持棒３の突出防止を簡単に実現することができる。
【００４０】
第１実施形態の変形例５（図１１）
図１１に示す変形例は、支持部５の凹み６の周縁部にスプリンクラーヘッドカバー４の外縁を凹み６の内側に向かって付勢するバネ部１７を設置したものである。バネ部１７に十分な弾性を持たせるために本体２の材質は樹脂や弾性を有する金属にて形成することが望ましい。
【００４１】
バネ部１７は凹み６の周縁部に複数設置されており、バネ部１７の先端はスプリンクラーヘッドカバー４のカバープレート４Ａの縁よりも僅かに凹み６の中心よりに配置されている。スプリンクラーヘッドカバー４が凹み６内に収容されるとバネ部１７は若干外側へ傾いた状態となりカバプレート４Ａの外縁を凹み６の内側に向かって付勢している。
【００４２】
バネ部１７は板状をしており凹み６の底面に対して略垂直に形成されており、より好ましくは垂直よりも若干外側に傾いて形成される。これにより、カバープレート４Ａの側面をバネ部１７により付勢することで、バネ部１７の縁でカバープレート４Ａに傷が付くことを防止できる。より具体的に説明すると、バネ部１７の先端が凹み６の内側に向かって傾いて形成されている場合、凹み６内に収容されたスプリンクラーヘッドカバー４が脱落しないようにバネ部１７の先端はカバープレート４Ａの外周縁よりも内側に形成される。
【００４３】
こうすると、カバープレート４Ａを凹み６に収容するとき及び凹み６から外す際にバネ部１７が弾性変形してバネ部１７の先端がカバープレート４Ａの縁を乗り越える動作をすることから、カバープレート４Ａの外径にばらつきがある場合に、カバープレート４Ａの外径が通常のものよりもやや大きいと、カバープレート４Ａの縁とバネ部１７の先端の係合が通常よりも強くなりカバープレート４Ａの縁に傷を付けてしまうおそれがある。
【００４４】
これに対して図１１に示すバネ部１７は凹み６の底面に対して略垂直に形成されており、カバープレート４Ａを凹み６内に収容した際に、バネ部１７はカバープレート４Ａによって外側に弾性変形され、カバープレート４Ａの側面は常にバネ部１７により凹み６の内側に付勢された状態にある。バネ部１７はカバープレート４Ａの側面に作用しており、この側面に沿ってバネ１７が弾性変形してカバープレート４Ａを付勢しているのでカバープレート４Ａの外径にばらつきがあっても外径に応じてバネ部１７が弾性変形可能である。
【００４５】
さらにバネ部１７の内側の面１７Ａの端部は丸みを帯びており、カバープレート４Ａを凹み６に収容する際にバネ部１７の端部によってカバープレート４Ａの表面に傷が付かないようにしている。外側の面１７Ｂの周囲は切りかかれており、バネ部１７が外側に弾性変形しやすいように構成されている。
【００４６】
図１１において、支持部５にはカバープレート４Ａの外形が円形と四角形の２種類に対応している。バネ部１７は円形のカバープレートを装着する際に作用するバネ部Ｃと、四角形のカバープレートを装着する際に作用するバネ部Ｄが設置されている。バネ部Ｃは支持部５に均等間隔で、四角形のカバープレートのコーナー部６Ｂを避けて配置されている。バネ部Ｄは四角形のカバープレートのコーナー部６Ｂに設置されており、円形のカバープレートを支持部５に装着した際に干渉しないように構成している。
【００４７】
バネ部１７を設けたことで、取付工具１にカバープレート４を装着した状態で作業者が取付工具１を持って移動する際にカバープレート４が取付工具１から脱落することを防止できる。
【００４８】
また、図１１では支持部５にカバープレート４Ａの輪郭を示す線１８Ａや、形状・サイズを示す文字１８Ｂが表示されており、作業者が取付工具１に対応可能なカバープレート４Ａを直感的に認識しやすいようにしている。
【００４９】
第１実施形態の変形例６（図１２）
図１２（ａ）に示す変形例では、バネ部１７が凹み６の周縁部から凹み６の内側へ湾曲して延出されており、バネ部１７の根元は凹み６の四角形のカバープレート用のコーナー部６Ｂに形成されている。
カバープレート４Ａを凹み６に装着させるとバネ部１７の先端が凹み６の外側へ弾性変形するとともにカバープレート４Ａの外縁を付勢する。図１２（ｂ）は円形のカバープレートを装着した際の平面図であり、図１２（ｃ）は四角形のカバープレートを装着した際の平面図である。
【００５０】
上記のように、バネ部１７を設置することにより、取付工具１にカバープレート４を載置した際にカバープレート４Ａの外縁がバネ部１７によって支持部の内側に付勢されるのでスプリンクラーヘッドカバー４が取付工具１から脱落することを防止できる。
【００５１】
第２実施形態（図１３）
次に第２実施形態の取付工具４１について説明する。尚、第１実施形態と構成が同じ部分については同符号を付して詳細な説明は省略する。第２実施形態の取付工具４１は、本体４２を、互いに分離可能な把持棒着脱部保持体４３と支持部保持体４２ａとから構成されている。
【００５２】
第２実施形態の取付工具４１は、把持棒着脱部保持体４２ａと支持部保持体４３とからなる本体４２と、把持棒３から構成される。把持棒着脱部保持体４２ａの上面には支持部保持体４３が着脱可能な係合穴４４が形成されている。支持部保持体４３は円板状となっており、一方の面には第１実施形態と同様の凹み６が形成されており、反対側の面には第１実施形態と同様の凹み１０が形成されている。これにより支持部保持体４３の両面を使用することで複数種類のスプリンクラーヘッドカバーに対応可能な取付工具４１を実現できる。
【００５３】
支持部保持体４３の外形は円形であり、係合穴の形状は支持部保持体４３の外形形状より僅かに大径な円形となっている。支持部保持体４３は係合穴４４に対して着脱可能な構成となっており、例えば磁力によって接合することや、あるいは係合穴４４の内周部に牝ネジを螺刻させ、それに対応する牡ネジを支持部保持体４３の外周部に形成して係合穴４４と支持部保持体４３を着脱可能に構成することもできる。
【００５４】
把持棒着脱部保持体４２ａにおいて係合穴４４が設置された側と反対側には把持棒着脱部１１の穴が穿設されており、第１実施形態と同様にボルト１３によって把持棒３を本体４２に接続可能である。前述の実施形態と同様に把持棒３と把持棒着脱部１１の穴の中心軸３Ａ上に係合穴４４の中心が配置されている。
【００５５】
第２実施形態の取付工具４１によれば、スプリンクラーヘッドカバー４の種類が今後増えても、それに対応した新たな支持部を本体４２に取り付けて使用することができ、将来的に支持部の種類が増えても把持棒着脱部保持体４２ａはそのまま用いることができる。
また、各々の面に異なる形状・サイズの付属品を載置することができる。
【産業上の利用可能性】
【００５６】
本発明のスプリンクラーヘッド付属品取付工具は上記に説明したスプリンクラーヘッドカバーの他に、実開平６−７７７５８号公報や実開平６−４１７５１号公報に記載のシーリングプレートにも適用可能である。
【符号の説明】
【００５７】
１、４１  スプリンクラーヘッド付属品取付工具
２、４２  本体
３  把持棒
４  スプリンクラーヘッドカバー
５  支持部（第一の支持部）
６、１０  凹み
７  スプリンクラーヘッド
９  支持部（第二の支持部）
１１  把持棒着脱部
１２  牝ネジ
１３  ボルト
４２ａ  把持棒着脱部保持体
４３  支持部保持体
４４  係合穴
【図１】
2013125341.tif 000003
【図２】
2013125341.tif 000004
【図３】
2013125341.tif 000005
【図４】
2013125341.tif 000006
【図５】
2013125341.tif 000007
【図６】
2013125341.tif 000008
【図７】
2013125341.tif 000009
【図８】
2013125341.tif 000010
【図９】
2013125341.tif 000011
【図１０】
2013125341.tif 000012
【図１１】
2013125341.tif 000013
【図１２】
2013125341.tif 000014
【図１３】
2013125341.tif 000015
【国際調査報告】
2013125341.tif 000016
2013125341.tif 000017
2013125341.tif 000018
2013125341.tif 000019